(57)【要約】【課題】  複数枚の画像表示素子をつなぎ合わせて構成される画像表示装置において、一方の表示面から発する光線が他方の表示面で反射することによる映り込み像をなくす。【解決手段】  画像表示素子を有するとともに、画像表示素子の各表示面を観察者側に向けて各表示面に画像を表示するものにおいて、前記２以上の画像表示素子は、画像をそれぞれの表示面に表示するものであり、前記１以上の画像表示素子は、その表示面にルーバフィルムを有し、前記ルーバフィルムは、前記ルーバフィルムを有する表示面と異なる方向の表示面へ向う光線を遮光する指向特性を有する。したがって、一の表示面の画像が他の表示面に映り込むことが前記ルーバフィルムにより抑制される。【選択図】図１
2008108274.tif 000002
【特許請求の範囲】
【請求項１】
２以上の画像表示素子を組み合わせて画像を表示する画像表示装置であって、
前記２以上の画像表示素子は、画像をそれぞれの表示面に表示するものであり、
前記１以上の画像表示素子は、その表示面にルーバフィルムを有し、
前記ルーバフィルムは、前記ルーバフィルムを有する表示面と異なる方向の表示面へ向う光線を遮光する指向特性を有することを特徴とする画像表示装置。
【請求項２】
前記ルーバフィルムは、いずれの前記画像表示素子の表示面においても同一方向の指向特性を有する請求項１に記載の画像表示装置。
【請求項３】
前記ルーバフィルムは、前記画像表示素子の表示面の前面に配置した請求項１に記載の画像表示装置。
【請求項４】
前記ルーバフィルムは前記画像表示素子の表示面の前面に配置し、前記ルーバフィルムを前記表示面とバックライトとの間に配置した請求項１に記載の画像表示装置。
【請求項５】
前記２以上の画像表示素子は、視点に対する視差画像を空間的に分離してそれぞれの表示面に立体的な画像を表示する処理手段を有する請求項１に記載の画像表示装置。
【請求項６】
前記処理手段は、少なくとも２つの視点に対応する視差方向の映像を各画像表示素子の位置関係に応じた画像に変換して投射する請求項５に記載の画像表示装置。
【請求項７】
前記２以上の画像表示素子は、２次元の画像を表示する処理手段を有する請求項１に記載の画像表示装置。
【請求項８】
前記２以上の画像表示素子は、前記表示面を俯仰方向に配置して組合わされている請求項１に記載の画像表示装置。
【発明の詳細な説明】
【技術分野】
【０００１】
本発明は、複数の画像表示素子を有するとともに、これらの画像表示素子の各表示面を観察者側に向けて当該各表示面に画像を表示する画像表示装置に関する。
【背景技術】
【０００２】
近年、液晶パネルなどのフラットパネル型ディスプレイを用いた立体表示装置として、レンチキュラレンズ、パララックスバリア等により、両眼視差を有する複数の画像をそれぞれ左右の目に空間的に分離して呈示することで立体視を実現する立体表示装置が注目されている。この種の立体表示装置は、特別なメガネ等を装着する必要がないという利点を有している（例えば非特許文献１）。【０００３】
立体視の効果を高める立体画像を生成する方法としては、視軸に対して斜め方向に透視投影変換して表示する方法がある（特許文献１）。図５は、立体画像を生成する方法について説明するための図である。図５に示す立体画像を生成する方法では、右眼視点１２１及び左眼視点１２２それぞれの視点に対応する画像を、右眼透視投影変換画像１２３及び左眼透視投影変換画像１２４として透視投影変換して、画像表示面１２５に投影する。このとき、画像表示面１２５に投影された右眼透視投影変換画像１２３及び左眼透視投影変換画像１２４は、視軸に対して斜め方向とする。この方法を用いて立体表示を行うと、観察者には立体像１２６が知覚される。このとき、観察者の観察位置と立体像１２６の投影像の各部分との距離が画像表示面１２５内で異なるため、観察者が画像表示面を意識しなくなることにより、両眼立体視における疲労感を低減できるという効果がある。また、この方法を用いると、画角が広く取れることにより、更に立体視の効果を高めることができるので、より臨場感のある立体映像を提供できる。【０００４】
図６は、二つ以上の画像表示素子同士をつなぎ合わせた立体表示装置を説明する図である。画像表示素子１３０，１３１を用いて更に画角が広い立体表示装置を提供するには、二つ以上の画像表示素子１３０，１３１同士を、互いのなす角θが９０度以上かつ１８０度以下になるようにつなぎ合わせることで実現できる。二つの画像表示素子１３０，１３１に、観察者の右眼１３４及び左眼１３５それぞれの視点位置から観察した右眼用透視投影変換画像１３２及び左眼用透視投影変換画像１３３を表示する。これにより、観察者は、立体像１３９を広い画角で観察できるので、臨場感のある立体映像を観察できることになる。【０００５】
【非特許文献１】大越孝敬著「三次元画像工学」朝倉書店  P.11-21
【特許文献１】米国特許６３８９２３６号公報
【特許文献２】特開２００４−５４１９３号公報
【特許文献３】特開２００１−３０５３１２号公報
【発明の開示】
【発明が解決しようとする課題】
【０００６】
しかしながら、二つ以上の画像表示素子同士をつなぎ合わせた画像表示装置においては、一方の画像表示素子の表示面から発する光線が、他方の画像表示素子の表示面で反射することで映り込む、という問題が発生する。このとき他方の表示面に映り込む一方の表示面の画像を、以下「映り込み像」という。【０００７】
図７は表示面における光の反射を説明するための図である。図７［１］において、立体画像素子１３０上の画素Ａから発した光が観察方向１４１へ進行する光線には、画素Ａから直接進む光線以外に、立体画像素子１３１の表面で反射する光線が存在する。この光線により、画素Ａの映り込み像１４３が観察者１４０に観察される。同様に図７［２］において、立体画像素子１３１上の画素Ｂから発した光が観察方向１４１へ進行する光線には、立体画像素子１３０の表面で反射する光線が存在する。この光線により、画素Ｂの映り込み像１４５が観察者１４０に観察される。【０００８】
このように、一方の表示面から発する光線が他方の表示面で反射することによる映り込み像が存在すると、視認性が低下する問題だけではなく、次のような問題も生ずる。観察者が立体像を認識する際に、双方の表示面の映り込み像によって生じる偽の立体像が同時に観察されるので、観察者に非常に大きな違和感を与える。【０００９】
また、特許文献２，３には、ルーバフィルムを用いた画像表示装置が開示されている。ところで、特許文献２に示された画像表示装置は、ルーバフィルムにより観察者の右目と左目とに画像を空間的に分離して視差により立体視を実現しているものである。また特許文献３に示された画像表示装置は、ルーバフィルムによる輝度低下を偏光フィルムにより改善するものである。【００１０】
これら特許文献２及び３に示されたルーバフィルムの構造では、表示面同士での映像の映り込みを回避することは不可能である。【００１１】
本発明の目的は、一つの表示面の画像が他の表示面に映り込むことを抑制する画像表示装置を提供することにある。
【課題を解決するための手段】
【００１２】
前記目的を達成するため、本発明に係る画像表示装置は、２以上の画像表示素子を組み合わせて画像を表示する画像表示装置であって、前記２以上の画像表示素子は、画像をそれぞれの表示面に表示するものであり、
前記１以上の画像表示素子は、その表示面にルーバフィルムを有し、前記ルーバフィルムは、前記ルーバフィルムを有する表示面と異なる方向の表示面へ向う光線を遮光する指向特性を有することを特徴とするものである。
【発明の効果】
【００１３】
本発明によれば、画像を２以上の画像表示素子の表示面に表示し、ルーバフィルムを用いることにより、異なる方向の表示面へ向う光線を遮光するため、表示面への画像の映り込みを防止できる。
【発明を実施するための最良の形態】
【００１４】
以下、本発明の実施形態を図に基づいて詳細に説明する。【００１５】
本発明の実施形態は、２以上の画像表示素子（１，２）を組み合わせて画像を表示する画像表示装置を対象とするものである。２つの画像表示素子１，２を組み合わせた場合を例にとって具体的に説明する。図１に示す２つの画像表示素子１，２は、画像をそれぞれの表示面１ａ，２ａに表示する。画像を表示面１ａ，２ａに画像を表示する場合、視点に対する視差画像を空間的に分離して表示する、すなわち立体的に表示する場合と、２次元の画像を表示面１ａ，２ａに表示する場合とがある。前記視点に対する視差画像を空間的に分離するとは、図１に示す点１３が観察者による視点であるとすると、観察者の右目用と左目用との画像に分離し、その分離した右目用画像と左目用画像とを２つの画像表示素子１，２の表示面１ａ，２ａにそれぞれ表示することを意味する。具体的には、図１おける水平方向の画像表示素子１の表示面をＸ軸表示面１ａ、垂直方向の画像表示素子２の表示面をＹ軸表示面２ａとすると、視点１３に対する視差画像は図２に示すように、空間的に分離される、すなわち右目用画像４Ｒと左目用画像４Ｌとに分離してＸ軸表示面１ａとＹ軸表示面２ａとに渡って表示される。また、２次元の画像はＸ軸表示面１ａとＹ軸表示面２ａとに渡って表示される。【００１６】
以下の説明では、視点に対する画像を空間的に分離して表示面に表示する場合を例にとって説明する。観察者は図１及び図２に示すように、両目を視点１３に据えてＸ軸表示面１ａとＹ軸表示面２ａとに映し出された画像を観察すると、その右目でＸ・Ｙ軸表示面１ａ，２ａに表示されている右目用画像４Ｒを観察し、その左目でＸ・Ｙ軸表示面１ａ，２ａに表示されている左目用画像４Ｌを観察する。したがって、観察者にとっては、Ｘ・Ｙ軸表示面１ａ，２ａに表示された右目用画像４Ｒと左目用画像４Ｌとが面Ａ´−Ｂ´の位置で合成して１つの画像５として観察することとなる。この場合、Ｘ・Ｙ軸表示面１ａ，２ａに、レンチキュラレンズ，パララックスバリア，インテクグラルフォトグラフィ用レンズアレイ或いはピンホールアレイなどの立体表示を行う光学系を備えることにより、面Ａ´−Ｂ´内の画像５を立体的に表示することができる。また、前記立体的表示を行う光学系を用いない場合には、面Ａ´−Ｂ´内の画像５を２次元画像として表示することができる。【００１７】
本発明の実施形態に係る画像表示装置は基本的な構成として、前記１以上の画像表示素子（１，２）が、その表面にルーバフィルム６，７を有しており、前記ルーバフィルム６，７が、ルーバフィルム６，７を有する表示面と異なる方向の表示面へ向う光線を遮光する指向特性を有することを特徴とするものである。【００１８】
図１の例に基づいて説明すると、画像表示素子１の表示面１ａにルーバフィルム６を貼付けた場合、ルーバフィルム６が表示面１ａから漏れて他の表示面２ａに映り込もうとする光線を遮光する。画像表示素子２の表示面２ａにルーバフィルム７を貼付けた場合、ルーバフィルム７が表示面２ａから漏れて他の表示面１ａに映り込もうとする光線を遮光する。画像表示素子１の表示面１ａ及び２ａにルーバフィルム６，７をそれぞれ貼付けた場合、ルーバフィルム６が表示面１ａから漏れて他の表示面２ａに映り込もうとする光線を遮光し、ルーバフィルム７が表示面２ａから漏れて他の表示面１ａに映り込もうとする光線を遮光する。【００１９】
したがって、本発明の実施形態によれば、視点に対する視差画像を空間的に分離して２以上の画像表示素子の表示面に表示し、ルーバフィルムを用いることにより、異なる方向の表示面へ向う光線を遮光するため、表示面への画像の映り込みを防止することができる。【００２０】
また、図１に示す例を用いて、ルーバフィルム６，７を画像表示素子１，２の表示面１ａ，２ａに貼付ける場合について説明する。２つの画像表示素子１，２の表示面１ａ，２ａにルーバフィルム６，７をそれぞれ貼付ける場合、ルーバフィルム６，７が、いずれの画像表示素子１，２の表示面１ａ，２ａにおいても同一方向の指向特性を有することが望ましいものである。同一方向の指向特性を有するとは、図１の例を用いて具体的に説明すると、視点１３での画角１４を１０度とした場合、表示面１ａに貼付けたルーバフィルム６の指向特性が全角で３０度であって左斜め上方を向いた特性である場合、他の表示面２ａに貼付けたルーバフィルム６の指向特性が同様に全角で３０度であって、右斜め上方を向いた特性である場合を意味している。要は、同一方向の指向特性を有するとは、表示面１ａ，２ａに貼付けたルーバフィルム６，７が、その全角が同一或いは近似し、かつ、その指向方向が同一或いは近似してその指向方向が視点１３の位置で交差しないことを意味する。【００２１】
以上のように本発明の実施形態によれば、ルーバフィルムが、いずれの画像表示素子の表示面においても同一方向の指向特性を有することにすれば、表示面からの光線が相互干渉することを回避して、確実に表示面への画像の映り込みを防止することができ、特に画像を立体的に表示する際に違和感のない臨場感のある立体画像を表示することができる。【００２２】
次に、画像表示素子１，２として、画像を立体的に表示することが可能な画像表示素子を用い、立体的な画像５を表示する例を本発明の実施形態１として説明する。【００２３】
まず、概要を説明する。本実施形態の画像表示装置は、二つの画像表示素子１，２を有するとともに、画像表示素子１，２の各表示面１ａ，２ａを視点１３側に向けて各表示面１ａ，２ａに画像を表示するものにおいて、画像を表示する光を視点１３側へ向ける指向性を有するルーバフィルム６，７を、各表示面１ａ，２ａの前面に設けたことを特徴とする。表示面１ａ，２ａの前面とは、視点１３側の面を意味するものであって、後述するバックライト１１，１２を配置する側と反対側の面を意味する。【００２４】
ここで、ルーバフィルム６，７がない場合を考えると、各表示面１ａ，２ａが視点１３側に向いているとき、視点１３側からは表示面１ａ，２ａの画像が一方から他方へ映り込むことによる映り込み像が見られる。【００２５】
本実施形態では、表示面１ａ，２ａの一方から出た光は、ルーバフィルム６，７の指向特性により、視点１３側へ向かうことにより、表示面１ａ，２ａの他方へ向かうことが抑制される。したがって、表示面１ａ，２ａの一方の画像は、表示面１ａ，２ａの他方に映り込むことが抑制される。【００２６】
表示面１ａ，２ａは、ともに矩形状であり、一辺で互いに接しており、それぞれ俯仰方向に配置されている。ここで、俯仰方向とは、視点１３を中心として観察者が目を上下方向に移動させる方向に沿う方向を意味している。両方の表示面１ａ，２ａがそれらの一辺で互いに接すると、両方の表示面１ａ，２ａが連続することにより、画像に奥行感を持たせる、すなわち立体感を持たせる表示面が構成される。また、表示面１ａ，２ａがそれらの一辺で互いに接するということは、表示面１ａ，２ａ同士が最も接近することを意味する。表示面１ａ，２ａ同士が近ければ近いほど、一方から他方を見た立体角が大きくなることにより、一方から他方への画像の映り込みも顕著になるので、本発明の効果も顕著になる。また、ルーバフィルム６，７の有する指向性が全て同一方向であることにより、表示面１ａ，２ａの一方から表示面１ａ，２ａの他方へ向かう光が大幅に抑制されるので、映り込み像も大幅に抑制される。表示面１ａ，２ａ同士のなす角θは９０°としているが、これに限られるものではない。【００２７】
更に、詳しく説明する。本実施形態の画像表示装置は、画像表示素子１，２を備えている。画像表示素子１，２の表示面１ａ，２ａには、ルーバフィルム６，７が貼り合わされている。ルーバフィルム６，７は、視点１３から観察する画角１４の範囲内にのみ光を放射する指向性を持つ。ここで、表示面１ａ上の画素Ａからの光線は、表示面２ａの方向へ出射しない。そのため、画素Ａの像が表示面２ａへ映り込みことはない。同様に表示面２ａ上の画素Ｂからの光線は、表示面１ａの方向へ出射しない。そのため、画素Ｂの像が表示面１ａへの映り込みことはない。したがって、立体像５を形成する点Ａ’及び点Ｂ’を通過する光線のみが、視点１３に到達する。これにより、視点１３からは、映り込み像による偽の立体像は観察されない。【００２８】
ルーバフィルム６，７の指向性は、ルーバフィルムの一般的な製造技術によって得られる。一例を述べれば、光を反射又は吸収する物質からなる直線パターンを含む透明膜を、その直線パターンが互いに少しずつずれるように積層すればよい。例えば、ルーバフィルム面に対して４５°の指向性を与えるには、各直線パターンをルーバフィルム面に対して４５°に並ぶように重ねる。また、直線パターンの間隔や透明膜の積層枚数によって、指向性の鋭さを設計することもできる。もちろん、直線パターンの代わりに格子パターンなどを用いてもよい。【００２９】
図２は、本発明の実施形態１を用いて立体表示を行う全体構成を示す図である。図２において、画像表示素子１，２が矩形形状の表示面１ａ，２ａを有しており、それらの表示面１ａ，２ａを一例として９０度の角度θで繋ぎ合せている。【００３０】
画像表示素子１，２は、液晶パネルの表示面２１ａ，２２ａに立体画像表示手段の一部となる光学系としてレンチキュラレンズ（図示せず）が貼り合わせてある。また、ルーバフィルム６，７がレンチキュラレンズ上に配置されている。【００３１】
画像表示素子１，２には、水平６４０画素×垂直４８０画素、画面サイズ水平３２ｍｍ×垂直５０ｍｍのカラー液晶パネルを用いた。レンチキュラレンズのレンズピッチは１００μｍ、そのレンズ数は３２０個とした。視点１３と画像表示素子１，２との間の観察距離は４００ｍｍとし、画角（図１参照）は１０度として設定した。ルーバフィルム６，７のルーバの角度は４５度として、ルーバフィルム６，７の指向性は全角で３０度とした。この条件で４５度の観察角度で視点１３における観察者の右眼１３Ｒ及び左眼１３Ｌそれぞれに対応した画像を、表示面１ａ，２ａに光学的に独立に提示すると、特殊なメガネ等を装着せずに裸眼立体視が可能となる。またルーバフィルム６，７の作用により、二つの表示面１ａ，２ａ間相互の映り込みによる偽の立体像を、観察者が知覚することなく立体視することができた。【００３２】
更に、本発明の実施形態１における画像表示素子１，２は、立体画像表示手段の一部となる画像処理回路２７を備えている。画像処理回路２７は、右眼視点画像信号２５Ｒ及び左眼視点画像信号２５Ｌを、右眼用透視投影画像に変換した画像４Ｒ及び左眼用透視投影画像に変換した画像４Ｌを生成、これらの画像４Ｒ，４Ｌのデータを画像表示素子１，２にそれぞれ出力する。画像処理回路２７の動作によって、幾何学的に正しい立体像５を視点１３で観察者に実時間で動画表示できる。なお、画像処理回路２７は、近い距離のものほど両眼の視差が大きくなるように表示する。画像処理回路２７は、当業者にとって周知の一般的な立体画像表示用の回路であるので、説明を省略する。なお、画像処理回路２７として立体的に画像を表示するためのものを用いたが、これに代えて２次元の画像を表示面１ａ，２ａに表示する画像処理回路を用いてもよいものである。【００３３】
以上の画像表示装置によって表示面１ａ，２ａに画像を表示したところ、映り込み像による偽の立体像が観察されない立体映像を観察者に提示することができ、視認性が高く臨場感のある立体表示装置を提供することができた。【００３４】
立体画像は当然のことながら虚像である。一方、映り込み像も虚像である。そのため、映り込み像は立体画像として誤認されやすい。つまり、立体画像を表示する場合は、平面画像を表示する場合に比べて映り込み像による悪影響が大きいので、本発明の効果が最も顕著になる。【００３５】
次に、図１及び図２に示す画像表示素子１，２を多視点画像表示に対応させ、ｎ視点の立体画像表示をできるようにした例を本発明の実施形態２として説明する。【００３６】
画像表示素子１，２には、実施形態１と同じカラー液晶パネルを用いた。レンチキュラレンズ（図示せず）のレンズピッチは５０×ｎμｍ、レンズ数は６４０／ｎ個とした。例えば視点数ｎ＝４の場合は、レンズピッチ２００μｍ、レンズ数１６０個とした。視点１３から表示面を観察する距離は４００ｍｍとして、画角は１０度と設定した。ルーバフィルム６，７の角度は４５度として、ルーバフィルム６，７の指向性を全角で３０度とした。この条件で４５度の観察角度で視点位置１から視点位置ｎまでの各視点に対応した画像を、表示面１ａ，２ａに光学的に独立に提示すると、特殊なメガネ等を装着せずに裸眼立体視が可能となる。また、ルーバフィルム６，７の作用により、表示面１ａ，２ａ間相互の映り込みによる偽の立体像を、観察者が知覚することなく立体視することができた。【００３７】
更に、画像表示素子１，２は、その一部となる画像処理回路３７を備えている。画像処理回路３７は、視点位置１から視点位置ｎまでの多視点画像信号３５を、画像表示素子１，２それぞれに対応した視点位置１〜ｎにそれぞれ対応する透視投影画像に変換した画像３６１〜３６ｎを生成し、これらの画像３６１〜３６ｎのデータを画像表示素子１，２に出力し、観察者に幾何学的に正しい立体像３４を実時間で動画表示する。なお、視点位置１〜ｎの画像３６１〜３６ｎには、各視点１〜ｎにおける観察者の右目及び左目の画像が含まれている。【００３８】
以上の画像表示装置によって表示面１ａ，２ａに画像を表示したところ、映り込み像による偽の立体像が観察されない立体映像を観察者に提示することができ、視認性が高く臨場感のある立体表示装置を提供することができた。【００３９】
次に、ルーバフィルムを画像表示素子の表示面に貼付ける構成を変更した例を本発明の実施形態３として説明する。【００４０】
本実施形態は図４に示すように、各画像表示素子１，２の表示面１ａ，２ａの背面にルーバフィルム６，７を貼り付けて、ルーバフィルム６，７を画像表示素子１，２とバックライト１１，１２との間に配置している。ルーバフィルム６，７は、視点１３で観察する画角１４の範囲内にのみ指向性を持つ。【００４１】
本実施形態では、バックライト１１，１２からの光が、正面側からルーバフィルム６，７の指向特性により例えば全角で３０度の方向に偏向されて画像表示素子１，２に照射される。画像表示素子１，２は、バックライト１１，１２からルーバフィルム６，７を透過した光が入射することにより、表示面１ａ，２ａに画像を表示する。この場合、ルーバフィルム６，７の指向特性で規制された光が入射するため、画像表示素子１，２の表示面１ａ，２ａから放射される光線の向きがルーバフィルム６，７の指向特性により規制されているため、一方の表示面１ａ，２ａからの光線が他方の表示面２ａ，１ａへ入り込むことが制限され、画像の映り込みが回避される。【００４２】
以上のように本実施形態によれば、ルーバフィルムが画像表示素子１，２の表示面相互間での画像の映り込みを回避するため、第一乃至第２実施形態と同様に、映り込み像による偽の立体像が観察されない立体映像を、観察者に提示することができる。【００４３】
図４に示す画像表示素子１，２には透過型カラー液晶パネルを用い、バックライト１１，１２には白色ＬＥＤを用いたが、これに限られるものではない。バックライト１１，１２には、白色ＬＥＤ以外に、冷陰極管、レーザ等、各種光源を用いてもよい。また、画像表示素子１，２にカラーフィルタの無いモノクロ液晶パネルを用い、バックライト１１，１２に赤色，緑色，青色の画像を変調可能な各色のＬＥＤやレーザを用い、これらのモノクロ液晶パネルとバックライトとの組合せにより、画像表示素子の表示面に画像をカラー表示するようにしてもよいものである。【００４４】
なお、２枚の画像表示素子を９０度の開き角度θで組み合わせたが、これに限られるものではなく、前記開き角度θを９０度以上１８０未満の範囲に設定してもよいものである。また、画像表示素子として、画像を立体表示する画像表示素子を用いたが、これに代えて、２次元での画像表示を行う平面画像表示素子を用いてもよいものである。２次元での画像表示を行う画像表示素子を用いる場合、２枚の画像表示素子の開き角度θを９０度以下に設定してもよいものである。【００４５】
また、以上の実施形態では、２枚の画像表示素子を組み合わせたが、これに限られるものではなく、２以上の画像表示素子を組み合わせてもよいものである。また、全ての画像表示素子の表示面にルーバフィルムを貼付ける必要はなく、一部の表示面にルーバフィルムを貼付けてもよいものである。要は、一方の表示面に映し出される画像が他の表示面に映り込まない場合には、一部の表示面のみにルーバフィルムを貼付けてもよいものである。また、ルーバフィルムの指向特性は、互いの表示面同士で画像の映り込みが生じない範囲であれば、表示面に貼付けられるルーバフィルムの指向角度を必ずしも同一の角度に設定する必要がない。【００４６】
また画像表示素子は、液晶パネル、有機ＥＬパネル、プラズマディスプレイパネル、表面電界ディスプレイパネル、又はその他の各種フラットディスプレイパネルを用いることができるが、パネル以外のＣＲＴなどでもよく、また画素数及び画面サイズの大きなパネルを用いてもよい。【００４７】
以上、実施形態（及び実施例）を参照して本願発明を説明したが、本願発明は上記実施形態（及び実施例）に限定されるものではない。本願発明の構成や詳細には、本願発明のスコープ内で当業者が理解し得る様々な変更をすることができる。【００４８】
この出願は２００７年３月２日に出願された日本出願特願２００７−０５３３０５を基礎とする優先権を主張し、その開示の全てをここに取り込む。
【産業上の利用可能性】
【００４９】
本発明によれば、表示面同士での画像の映り込みを回避でき、特に画像を立体表示する場合に視認性が高く臨場感のある画像表示を行うことができるものである。
【図面の簡単な説明】
【００５０】
【図１】本発明に係る画像表示装置の第一実施形態を示す構成図である。
【図２】本発明に係る画像表示装置の第二実施形態を示す構成図である。
【図３】本発明に係る画像表示装置の第三実施形態を示す構成図である。
【図４】本発明に係る画像表示装置の第四実施形態を示す構成図である。
【図５】関連する技術における立体画像を生成する方法について説明するための図である。
【図６】二つ以上の画像表示素子同士をつなぎ合わせた立体表示装置を説明する図である。
【図７】表示面における光の反射を説明するための図である。
【符号の説明】
【００５１】
１，２    画像表示素子
１ａ，２ａ  画像表示素子の表示面
６，７  ルーバフィルム
１１，１２  バックライト
２７，３７  画像処理回路
【図１】
2008108274.tif 000003
【図２】
2008108274.tif 000004
【図３】
2008108274.tif 000005
【図４】
2008108274.tif 000006
【図５】
2008108274.tif 000007
【図６】
2008108274.tif 000008
【図７】
2008108274.tif 000009
【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
２以上の画像表示素子を組み合わせて画像を表示する画像表示装置であって、
前記２以上の画像表示素子は、画像をそれぞれの表示面に表示するものであり、
前記１以上の画像表示素子は、その表示面にルーバフィルムを有し、
前記ルーバフィルムは、前記ルーバフィルムを有する表示面と異なる方向の表示面へ向う光線を遮光する指向特性を有することを特徴とする画像表示装置。
【請求項２】
前記ルーバフィルムは、いずれの前記画像表示素子の表示面においても同一方向の指向特性を有する請求項１に記載の画像表示装置。
【請求項３】
前記ルーバフィルムは、前記画像表示素子の表示面の前面に配置した請求項１に記載の画像表示装置。
【請求項４】
前記ルーバフィルムは前記画像表示素子の表示面の前面に配置し、前記ルーバフィルムを前記表示面とバックライトとの間に配置した請求項１に記載の画像表示装置。
【請求項５】
前記２以上の画像表示素子は、視点に対する視差画像を空間的に分離してそれぞれの表示面に立体的な画像を表示する処理手段を有する請求項１に記載の画像表示装置。
【請求項６】
前記処理手段は、少なくとも２つの視点に対応する視差方向の映像を各画像表示素子の位置関係に応じた画像に変換して投射する請求項５に記載の画像表示装置。
【請求項７】
前記２以上の画像表示素子は、２次元の画像を表示する処理手段を有する請求項１に記載の画像表示装置。
【請求項８】
前記２以上の画像表示素子は、前記表示面を俯仰方向に配置して組合わされている請求項１に記載の画像表示装置。
【請求項９】
前記ルーバフィルムは、観察者の視点における画角の範囲に光線を導く指向特性を有する請求項１に記載の画像表示装置。
【国際調査報告】
2008108274.tif 000010
2008108274.tif 000011
2008108274.tif 000012
2008108274.tif 000013